(57)【要約】【課題】コードレス電話と無線ドアホン装置間の無線通信のための新たな無線送受装置を必要とせず、一方のサービスの着信中における他方のサービスの着信通知や一方のサービスでの通信中における他方のサービスの着信確認を可能とする。【解決手段】ＴＤＭＡ通信フレームの特定の送信スロットを同期スロットとして制御情報を送信する主制御局と、主制御局に同期しその同期スロットと重ならないスロットを同報スロットとして制御情報を送信する副制御局と、主制御局および副制御局と通信可能な従局とを備え、従局は主制御局からの制御情報を受信すると、その同期スロットの時間位置に基づいて判別した時間幅で副制御局からの制御情報を待ち受け、主制御局、副制御局のどちらか一方よりの着信時、他方の制御情報の受信を継続しながら着信動作を行なう。【選択図】図１
2007013541.tif 000002
【特許請求の範囲】
【請求項１】
受信スロットと複数の送信スロットとで構成されるＴＤＭＡ通信フレームで、前記送信スロットの中の所定スロットを同期スロットとして制御情報を送信する主制御局と、前記同期スロットで制御情報を受信するとともに前記主制御局に同期し、前記同期スロットと重ならないスロットを同報スロットとして必要に応じて制御情報を送信する副制御局と、前記主制御局に同期した受信スロットと送信スロットにより前記主制御局および前記副制御局と通信可能な従局とを備え、前記従局は、前記主制御局からの制御情報を受信すると、該制御情報を受信した同期スロットの時間位置に基づいたスロットで前記副制御局からの制御情報を待ち受け、前記主制御局または前記副制御局のどちらか一方からの制御情報により着信が通知された場合に、他方の制御情報の受信を継続しながら着信動作を開始することを特徴とする無線通信装置。
【請求項２】
前記従局は、前記主制御局または前記副制御局からの着信呼び出し中に他方の制御情報により着信が通知された場合に、先の着信呼び出しを継続しながら、後の着信動作を開始することを特徴とする請求項１に記載の無線通信装置。
【請求項３】
前記従局は、前記主制御局または、前記副制御局からの着信通知に応じた後の通信動作中に他方の制御情報により着信が通知された場合に、先の通信動作を継続しながら着信動作を開始することを特徴とする請求項１に記載の無線通信装置。
【請求項４】
前記主制御局と前記副制御局は、音声通信と画像通信という異なったサービスを提供する親機としてそれぞれ動作し、前記音声通信サービスを提供する親機として動作する側は、着信通知と同時に通信先の識別データを制御情報として報知する機能を備え、前記画像通信サービスを提供する親機として動作する側は、着信通知と同時に通信先の画像データを制御情報として報知する機能を備え、前記従局は、各サービスを提供する親機からの着信に対する着信動作の際に報知されるデータを画面表示する表示機能を備え、前記二つのサービスの着信が一度に発生した際、音声通信の通信先識別データと画像通信の通信先画像データ両方を画面表示することを特徴とする無線通信装置。
【請求項５】
前記従局は、音声サービスと画像サービスの着信が一度に発生した際、音声通信の通信先識別データと画像通信の通信先画像データを交互に画面表示することを特徴とする請求項４に記載の無線通信装置。
【請求項６】
前記従局は、音声通信の通信先識別データと画像通信の通信先画像データを交互に画面表示する際、交互表示の間隔を使用者が変更できることを特徴とする請求項５に記載の無線通信装置。
【請求項７】
前記従局は、操作用の複数のボタンを有し、音声サービスと画像サービスの着信が一度に発生し、音声通信の通信先識別データと画像通信の通信先画像データを交互表示中に、特定のボタンによりどちらか一方の着信に応答操作すると交互表示が停止し、更にもう一度前記応答操作を行なうと通信先との通信状態に移行し、別のボタン操作を行なうと再度前記交互表示に戻り、着信応答先の選択をやり直すことができることを特徴とする請求項５に記載の無線通信装置。
【請求項８】
前記従局は、音声サービスと画像サービスの着信が一度に発生した際、表示画面を分割し、音声通信の通信先識別データと画像通信の通信先画像データの両方を一度に画面表示することを特徴とする請求項４に記載の無線通信装置。
【請求項９】
前記従局は、音声通信の通信先識別データと画像通信の通信先画像データの両方を一度に画面表示する際、使用者が画像データの表示の大きさ、分割表示方法を変更できることを特徴とする請求項８に記載の無線通信装置。
【請求項１０】
前記従局は、音声サービスと画像サービスの着信が一度に発生した際、音声通信の通信先識別データと画像通信の通信先画像データの表示方法を交互表示にするか、一画面同時表示とするか、使用者が変更できることを特徴とする請求項４に記載の無線通信装置。
【請求項１１】
前記従局は、音声サービスまたは、画像サービスで通信中に別のサービスでの着信が発生した際、表示画面を分割して、現在通信中のサービスの画面表示は継続したまま、新たに発生した着信の通信相手の情報を画面表示することにより、新たに発生した着信を使用者に通知することを特徴とする請求項４に記載の無線通信装置。
【請求項１２】
前記従局は、音声通信の通信先識別データと画像通信の通信先画像データの両方を一度に画面表示する際、使用者が画像データの表示の大きさ、分割表示方法を変更できることを特徴とする請求項１１に記載の無線通信装置。
【発明の詳細な説明】
【技術分野】
【０００１】
本発明は、制御局と従局とが時分割多重で通信を行う無線通信装置に関する。
【背景技術】
【０００２】
１つの制御局と複数の従局とが、ＴＤＡＭ（時分割多重）で通信を行う通信システムがある。例えば、図１４に示すようにコードレス電話装置２０のコードレス電話親機２０ａを制御局とし、複数のコードレス電話子機２０ｂを従局とすれば、コードレス電話親機２０ａを１階のリビングに配置したとすると、コードレス電話子機２０ｂを２階の子供部屋に１台、寝室に１台というように配置することで、着信の度にコードレス電話親機２０ａまで通話しに行かなくても良いので利便性が非常に高い。（図１４においてはコードレス電話子機２０ｂは１台だけ図示している。）。
【０００３】
又、一般家庭では、カメラ付きドアホン装置２１を設置する場合がある。カメラ付きドアホン装置２１は、カメラ、マイク、スピーカ、およびチャイムを鳴らす鳴動用ボタンなどを備えた玄関子機２１ａが門柱などに設置され、モニタ、マイク、スピーカ、および通話状態とする応答用ボタンを備えたドアホン親機２１ｂがリビングなどに設置される。
【０００４】
来訪者が鳴動用ボタンを押下すると、ドアホン親機２１ｂからチャイムがなることで来訪者がわかるが、その応答にはドアホン親機２１ｂが設置されているリビングまで行く必要がある。
【０００５】
そこで、鳴動用ボタンが押下されると、ドアホン親機２１ｂから離れた場所にいても無線で知らせてくれるようなドアホン子機があれば、コードレス電話装置２０と同様に、わざわざリビングに行く必要がないので利便性が高いと思われる。つまりドアホン親機２１ｂを制御局とし、ドアホン子機２１ｃを従局として通信すれば、離れた位置にあっても来訪者を通知したり、来訪者と会話することが可能となる。このような、無線通信を利用した無線ドアホンは、特許文献１に述べられている（従来の技術１）。特許文献１の無線ドアホンでは、モニタ付き居室親機に居室親機無線送受信アダプタを接続し、モニタ付き増設親機に親機無線送受信アダプタと無線通信する増設親機無線送受信アダプタを接続することにより、モニタ付き居室親機とモニタ付き増設親機間の無線通信を実現する方法が述べられている。
【０００６】
ところで、上記のようなコードレス電話や無線ドアホンでは、１つの親機に複数の子機が接続可能であるが、子機が高価なことも有り、現実的には、１つの親機と１、２台程度の子機で使用される場合がほとんどであり、リビングや寝室等、使用頻度の高い部屋のみに子機が設置されている。ここで、コードレス電話と無線ドアホンがある場合、それぞれの親機を有線で接続し、それぞれのサービスを相手側の子機で使用できるようにすれば、結果として、各々の親機に接続できる子機の台数が増え、利便性が向上する。このようにドアホンとコードレス電話を接続してコードレス電話の子機にてドアホンのサービスを使用できるコードレス電話は、特許文献２に述べられている（従来の技術２）。特許文献２のコードレス電話では、コードレス電話の親機とドアホンを接続し、ドアホン着信があった場合、コードレス電話に通知し、コードレス電話の親機、子機にてドアホン着信を通知し、コードレス電話側でドアホンの着信に応答でき、又、コードレス電話が外線との通話中であっても、デジタルコードレス電話（ＰＨＳ）の技術を用いて、外線通話に影響を与えることなく、親機またはドアホンから子機を呼出すことができるとともに、親機から子機に対して簡単なメッセージを伝えることのできる方法が述べられている。
【０００７】
更に、従来の技術１と従来の技術２を応用して、コードレス電話と無線ドアホンが無線で接続されたならば、利便性は一層向上する。このように、２つの無線通信システム間の通信を無線で行う方法が特許文献３に述べられている（従来の技術３）。特許文献３のドアホン装置は、玄関に取り付けられるカメラを有するドアホンユニットと、このドアホンユニットから伝送されてくる映像を表示する表示部を有する本体ユニットで構成され、本体ユニットには、ドアホンユニットと無線通信を行う第１の無線送受信部と携帯電話またはＰＨＳ電話と無線通信と行う第２の無線送受信部を設け、２つの無線送受信部を設けたドアホンユニットを利用することにより、ドアホン側の無線通信システムと携帯電話等の無線通信システム間の通信を無線通信よって実現している。
【０００８】
以上、これらの技術を組み合わせることにより、コードレス電話と無線ドアホンが無線で接続され、お互いの子機が、他方のサービスに利用でき、すべてが無線接続で構成されたシステムが構築可能である。
【特許文献１】特開２００３−１９８７３７号公報
【特許文献２】特開平６−２０５０８９号公報
【特許文献３】特開２００２−１５２３９２号公報
【発明の開示】
【発明が解決しようとする課題】
【０００９】
しかしながら、従来の技術２で述べたコードレス電話とドアホンが接続され、コードレス電話の子機が接続されたシステムでは、コードレス電話側とドアホン側からの同時の呼び出しが発生した時の動作は開示されていない。又、電話として使用中にドアホン着信があった場合、重畳音でドアホン着信を通知するのみで、電話を保留、或いは、切断してドアホン側との音声通話を行う必要があり、通信中の電話を中断せずに、ドアホン側の来訪者を確認することができなかった。又、コードレス電話でドアホン側の応対をしている際中に、外線着信があった場合の動作についても開示されていない。
【００１０】
又、上記従来の技術を組み合わせることにより実現される、コードレス電話と無線ドアホンが無線で接続され、お互いの子機が、他方のサービスに利用でき、すべてが無線接続で構成されたシステムでは、無線通信システム間を接続する１つの無線通信装置にそれぞれの無線通信装置に対応した無線送受信部を備える必要があり、無線通信装置が大きくなり、価格も高くなるという問題点を有していた。
【００１１】
本発明は、上記課題を省みて、コードレス電話と無線ドアホン装置間の無線通信のための新たな無線送受装置を必要とせず、一方のサービスの着信中における他方のサービスの着信通知や一方のサービスでの通信中における他方のサービスの着信確認を可能とした利便性の高い無線通信装置の提供を目的とする。
【課題を解決するための手段】
【００１２】
上記目的を達成するために、本発明においては、ＴＤＭＡ通信フレームの特定の送信スロットを同期スロットとして制御情報を送信する主制御局と、前記同期スロットで制御情報を受信するとともに前記主制御局に同期し、前記同期スロットと重ならないスロットを同報スロットとして必要に応じて制御情報を送信する副制御局と、前記主制御局に同期した受信スロットと送信スロットにより前記主制御局および前記副制御局と通信可能な従局とを備え、前記従局は、前記主制御局からの制御情報を受信すると、該制御情報を受信した同期スロットの時間位置に基づいて判別した時間幅で前記副制御局からの制御情報を待ち受け、前記主制御局または前記副制御局のどちらか一方からの制御情報により着信が通知された場合に、他方の制御情報の受信を継続しながら着信動作を開始することを特徴としている。
【発明の効果】
【００１３】
本発明の無線通信装置は、ＴＤＭＡ通信フレームの特定の送信スロットを同期スロットとして制御情報を送信する主制御局と、同期スロットで制御情報を受信するとともに主制御局に同期し、その同期スロットと重ならないスロットを同報スロットとして必要に応じて制御情報を送信する副制御局と、主制御局に同期した受信スロットと送信スロットにより主制御局および副制御局と通信可能な従局とを備え、従局が、主制御局からの制御情報を受信すると、該制御情報を受信した同期スロットの時間位置に基づいて判別した時間幅で副制御局からの制御情報を待ち受け、主制御局または副制御局のどちらか一方より着信が通知された場合に、他方の制御情報の受信を継続しながら着信動作を開始することにより、複数の無線送受装置を必要とせず、主制御局または、副制御局どちらからの着信呼び出し動作中であっても他方からの着信を検出することができるという効果が得られる。
【発明を実施するための最良の形態】
【００１４】
本発明は、複数の無線送受装置を必要とせず、一方のサービスの着信中における他方のサービスの着信通知や一方のサービスでの通信中における他方のサービスの着信確認を可能とした利便性の高い無線通信装置を提供するという目的を、特定の送信スロットを同期スロットとして制御情報を送信する主制御局と、その同期スロットで制御情報を受信するとともに主制御局に同期し、主制御局の同期スロットと重ならないスロットを同報スロットとして必要に応じて制御情報を送信する副制御局と、主制御局に同期した受信スロットと送信スロットにより主制御局および副制御局と通信可能な従局とを備え、従局が、主制御局からの制御情報を受信すると、該制御情報を受信した同期スロットの時間位置に基づいて判別した時間幅で副制御局からの制御情報を待ち受け、主制御局または副制御局のどちらか一方より着信が通知された場合に、他方の制御情報の受信を継続しながら着信動作を開始することにより実現した。
【００１５】
上記課題を解決するためになされた第１の発明は、受信スロットと複数の送信スロットとで構成されるＴＤＭＡ通信フレームで、送信スロットの中の所定スロットを同期スロットとして制御情報を送信する主制御局と、同期スロットで制御情報を受信するとともに主制御局に同期し、同期スロットと重ならないスロットを同報スロットとして必要に応じて制御情報を送信する副制御局と、主制御局に同期した受信スロットと送信スロットにより主制御局および副制御局と通信可能な従局とを備え、従局は、主制御局からの制御情報を受信すると、該制御情報を受信した同期スロットの時間位置に基づいて判別した時間幅で副制御局からの制御情報を待ち受け、主制御局または副制御局のどちらか一方からの制御情報により着信が通知された場合に、他方の制御情報の受信を継続しながら着信動作を開始することを特徴としたものであり、複数の無線送受装置を必要とせず、主制御局または、副制御局どちらからの着信動作中であっても他方からの着信を検出することができるという効果が得られる。
【００１６】
上記課題を解決するためになされた第２の発明は、主制御局または副制御局からの着信呼び出し中に他方の制御情報により着信が通知された場合に、先の着信呼び出しを継続しながら、後の着信動作を開始することを特徴としたものであり、主制御局からの着信呼び出しと副制御局からの着信呼び出しを同時に行うことができるという効果が得られる。
【００１７】
上記課題を解決するためになされた第３の発明は、従局は、主制御局または、副制御局からの着信通知に応じた後の通信動作中に他方の制御情報により着信が通知された場合に、先の通信動作を継続しながら着信動作を開始することを特徴としたものであり、主制御局または副制御局と通信中に他方からの着信呼び出しを行うことができるという効果が得られる。
【００１８】
上記課題を解決するためになされた第４の発明は、主制御局と副制御局は、音声通信と画像通信という異なったサービスを提供する親機としてそれぞれ動作し、音声通信サービスを提供する親機として動作する側は、着信通知と同時に通信先の識別データを制御情報として報知する機能を備え、画像通信サービスを提供する親機として動作する側は、着信通知と同時に通信先の画像データを制御情報として報知する機能を備え、従局は、各サービスを提供する親機からの着信に対する着信動作の際に報知されるデータを画面表示する表示機能を備え、二つのサービスの着信が一度に発生した際、音声通信の通信先識別データと画像通信の通信先画像データ両方を画面表示することを特徴としたものであり、一度に異なる二つのサービスの着信呼び出し中に他方のサービスの着信を知らせることができるという効果が得られる。
【００１９】
上記課題を解決するためになされた第５の発明は、従局は、音声サービスと画像サービスの着信が一度に発生した際、音声通信の通信先識別データと画像通信の通信先画像データを交互に画面表示することを特徴としたもので、二つのサービスの着信呼び出しを同時に行うことができるという効果が得られる。
【００２０】
上記課題を解決するためになされた第６の発明は、従局は、音声通信の通信先識別データと画像通信の通信先画像データを交互に画面表示する際、交互表示の間隔を使用者が変更できることを特徴としたもので、二つのサービスの着信呼び出しを同時によりわかりやすく行うことができるという効果が得られる。
【００２１】
上記課題を解決するためになされた第７の発明は、従局は、操作用の複数のボタンを有し、音声サービスと画像サービスの着信が一度に発生し、音声通信の通信先識別データと画像通信の通信先画像データを交互表示中に、特定のボタンによりどちらか一方の着信に応答操作すると交互表示が停止し、更にもう一度応答操作を行なうと通信先との通信状態に移行し、別のボタン操作を行なうと再度交互表示に戻り、着信応答先の選択をやり直すことができることを特徴としたもので、二つのサービスの着信呼び出しを同時に行うとともに接続先の確認を確実に行うことができるという効果が得られる。
【００２２】
上記課題を解決するためになされた第８の発明は、従局は、音声サービスと画像サービスの着信が一度に発生した際、表示画面を分割し、音声通信の通信先識別データと画像通信の通信先画像データの両方を一度に画面表示することを特徴としたもので、二つのサービスの着信呼び出しを同時に行うことができるという効果が得られる。
【００２３】
上記課題を解決するためになされた第９の発明は、従局は、音声通信の通信先識別データと画像通信の通信先画像データの両方を一度に画面表示する際、使用者が画像データの表示の大きさ、分割表示方法を変更できることを特徴としたもので、二つのサービスの着信呼び出しを同時によりわかりやすく行うことができるという効果が得られる。
【００２４】
上記課題を解決するためになされた第１０の発明は、従局は、音声サービスと画像サービスの着信が一度に発生した際、音声通信の通信先識別データと画像通信の通信先画像データの表示方法を交互表示にするか、一画面同時表示とするか、使用者が変更できることを特徴としたものであり、二つのサービスの着信呼び出しを同時に行え、表示方法を使用者の好みに合わせて選択できるためより利便性が向上するという効果が得られる。
【００２５】
上記課題を解決するためになされた第１１の発明は、従局は、音声サービスまたは、画像サービスで通信中に別のサービスでの着信が発生した際、表示画面を分割して、現在通信中のサービスの画面表示は継続したまま、新たに発生した着信の通信相手の情報を画面表示することにより、新たに発生した着信を使用者に通知することを特徴としたもので、一方のサービスでの通信中に他方のサービスの着信通知を行うことができるという効果が得られる。
【００２６】
上記課題を解決するためになされた第１２の発明は、従局は、音声通信の通信先識別データと画像通信の通信先画像データの両方を一度に画面表示する際、使用者が画像データの表示の大きさ、分割表示方法を変更できることを特徴としたもので、一方のサービスでの通信中に他方のサービスの着信通知が行え、表示方法を使用者の好みに合わせて選択できるためより利便性が向上するという効果が得られる。
【００２７】
（実施の形態１）
以下、本発明の実施の形態１に係る無線通信装置の構成を図１から図４に基づいて説明する。図１は、本発明の実施の形態１に係る無線通信装置の構成を示す図である。図２は、本発明の実施の形態１に係るドアホン装置の構成を説明する図である。図３は、本発明の実施の形態１に係るコードレス電話装置のコードレス電話親機の構成を説明する図である。図４は、本発明の実施の形態１に係るコードレス電話装置のコードレス電話子機の構成を説明する図である。
【００２８】
図１に示すように、本発明の実施の形態１に係る無線通信装置１は、ドアホン装置２と、コードレス電話装置３とを備えている。ドアホン装置２は、玄関子機２ａと、ドアホン親機２ｂとから構成される。コードレス電話装置３は、コードレス電話親機３ａとコードレス電話子機３ｂとを備えている。図１では、コードレス電話子機３ｂとして１台しか図示していないが複数でもよい。本実施の形態１の無線通信装置１では、コードレス電話親機３ａが主制御局、ドアホン親機２ｂが副制御局、コードレス電話子機３ｂが従局となり、無線によるＴＤＡＭで通信している。
【００２９】
図２に示すように、ドアホン装置２は、玄関子機２ａとドアホン親機２ｂとは有線で接続されている。玄関子機２ａは、来訪者を撮像するカメラ部１０１と、来訪者と通話するための通話部１０２と、来訪者による呼び出しを検知して呼び出し通知としてドアホン親機２ｂへ送信する呼び出し検知部１０３と、撮像した来訪者の映像データと音声データと呼び出し通知を多重したり、分離したりしてドアホン親機２ｂとの通信を行う多重分離回路１０４とを備えている。
【００３０】
ドアホン親機２ｂは、モニタ回路２０１と、モニタ２０２と、画像情報記憶部２０３と、呼び出し検知部２０４と、報知部２０５と、音声回路２０６と、通話部２０７と、同期処理部２０８と、フレーム処理部２０９と、無線部２１０と、操作部２１１と、アンテナ２１３と、制御部２１４と、電話親機ＩＤ記憶部２１５と、ドアホンＩＤ記憶部２１６と、多重分離回路２２０とを備えている。
【００３１】
モニタ回路２０１は、多重分離回路２２０に接続され、玄関子機２ａからの映像データをモニタ２０２へ表示させる。
【００３２】
画像情報記憶部２０３は、玄関子機２ａからの映像データをモニタ回路２０１を介して記憶し、制御部２１４へ出力する。
【００３３】
呼び出し検知部２０４は、多重分離回路２２０に接続され、玄関子機２ａの呼び出し検知部１０３からの呼び出し通知を検知して報知部２０５のチャイムなどを鳴動させて使用者へ来訪者があることを報知するとともに制御部２１４へ通知する。
【００３４】
音声回路２０６は、多重分離回路２２０に接続され、通話部２０７のマイクから入力された音声信号を音声データへ変換して玄関子機２ａへ送信したり、玄関子機２ａから受信した音声データを音声信号に変換して通話部２０７のスピーカにより鳴らしたり、コードレス電話子機３ｂと通信する際に音声データを玄関子機２ａへ中継したりする機能を備えている。
【００３５】
同期処理部２０８は、フレーム処理部２０９および制御部２１４と接続され、パケットの先頭のプリアンブルとシンクワードで同期処理を行う。
【００３６】
フレーム処理部２０９は、音声回路２０６、無線部２１０および制御部２１４に接続され、復調データから同期信号元に制御データフィールド及び情報データフィールドを抽出して制御部２１４又は音声回路２０６に出力する機能を備えている。
【００３７】
無線部２１０は、ＴＤＭＡで通信行うための変調および復調を行いアンテナ２１３を介して送受信する。
【００３８】
操作部２１１は、来訪者と通話する際に押下されるキーを備えている。
【００３９】
制御部２１４は、玄関子機２ａおよびドアホン親機２ｂを総括制御するものである。
【００４０】
電話親機ＩＤ記憶部２１５は、主制御局であるコードレス電話親機３ａの識別情報であるＩＤが登録されている。ドアホンＩＤ記憶部２１６は、副制御局である自装置のＩＤが登録されており、制御部２１４から読み出し可能に接続されている。
【００４１】
次にコードレス電話装置３について図３および図４に基づいて詳細に説明する。まず図３に基づいてコードレス電話親機３ａを説明する。
【００４２】
図３に示すように、コードレス電話親機３ａは、回線ＩＦ３０１と、音声回路３０２と、着信検知部３０３と、子機ＩＤ記憶部３０４と、電話親機ＩＤ記憶部３０５と、フレーム処理部３０６と、無線部３０７と、アンテナ３０８と、制御部３１１とを備えている。
【００４３】
回線ＩＦ３０１は、電話回線４と接続され着信検知部３０３へ出力するとともに、音声回路３０２へ出力する。また音声回路３０２からのアナログの音声信号を電話回線４へ送信する。
【００４４】
音声回路３０２は、音声信号をデジタルの音声データへ変換したり、音声データを音声信号へ変換したりする機能を備えている。
【００４５】
着信検知部３０３は、回線ＩＦ３０１と制御部３１１に接続されており、電話回線４からの音声信号により着信を検知して制御部３１１へ通知する。
【００４６】
子機ＩＤ記憶部３０４は、通信相手となる従局であるコードレス電話子機３ｂのＩＤが登録されている。電話親機ＩＤ記憶部３０５は、主制御局である自装置のＩＤが登録されており、制御部３１１から読み出し可能に接続されている。
【００４７】
フレーム処理部３０６は、音声回路３０２、無線部３０７および制御部３１１に接続され、復調データから同期信号元に制御データフィールド及び情報データフィールドを抽出して制御部３１１又は音声回路３０２に出力する機能を備えている。
【００４８】
無線部３０７は、ＴＤＭＡで通信行うための変調および復調を行いアンテナ３０８を介して送受信する。
【００４９】
制御部３１１は、コードレス電話親機３ａを総括制御するものである。
【００５０】
次に、コードレス電話子機３ｂについて図４に基づいて詳細に説明する。図４に示すように、コードレス電話子機３ｂは、報知部４０１と、音声回路４０２と、通話部４０３と、モニタ回路４０４と、同期処理部４０５と、フレーム処理部４０６と、無線部４０７と、アンテナ４０８と、操作部４０９と、制御部４１０と、子機ＩＤ記憶部４１１と、電話親機ＩＤ記憶部４１２と、ドアホンＩＤ記憶部４１３と、モニタ４１４とを備えている。
【００５１】
報知部４０１は、制御部４１０に接続されており、制御部４１０からの通知により、電話回線４からの着信や、ドアホン装置２からの来訪者の通知を呼び出し音にて報知する。
【００５２】
音声回路４０２は、制御部４１０に接続され、通話部４０３のマイクから入力された音声信号を音声データへ変換して制御部４１０や、フレーム処理部４０６へ出力したり、制御部４１０またはフレーム処理部４０６から入力した音声データを音声信号に変換して通話部４０３のスピーカにより鳴らしたりする。
【００５３】
モニタ回路４０４は、制御部４１０に接続され、ドアホン装置２からの映像データやコードレス電話親機３ａから通知された相手の電話番号や通信時間等の情報をモニタ４１４へ表示させる。
【００５４】
同期処理部４０５は、フレーム処理部４０６および制御部４１０と接続され、パケットの先頭のプリアンブルとシンクワードで同期処理を行う。
【００５５】
フレーム処理部４０６は、音声回路４０２、無線部４０７および制御部４１０に接続され、復調データから同期信号元に制御データフィールド及び情報データフィールドを抽出して制御部４１０又は音声回路４０２に出力する機能を備えている。
【００５６】
無線部４０７は、ＴＤＭＡで通信行うための変調および復調を行いアンテナ４０８を介して送受信する。
【００５７】
操作部４０９は、発信先電話番号を入力する際に使用される番号ボタンと、オンフック／オフフックするためのボタンや、ドアホン装置２からの来訪者通知に応答するためのボタン等を備えている。
【００５８】
制御部４１０は、コードレス電話子機３ｂを総括制御するものである。
【００５９】
子機ＩＤ記憶部４１１は、従局である自装置のＩＤが登録されている。電話親機ＩＤ記憶部４１２は、主制御局であるコードレス電話親機３ａのＩＤが登録されている。ドアホンＩＤ記憶部４１３は、副制御局であるドアホン親機２ｂのＩＤが登録されている。この子機ＩＤ記憶部４１１と、電話親機ＩＤ記憶部４１２と、ドアホンＩＤ記憶部４１３とは、制御部４１０から読み出し可能に接続されている。
【００６０】
以上のように構成される本発明の実施の形態１に係る無線通信装置のドアホン親機２ｂ、コードレス電話親機３ａおよびコードレス電話子機３ｂがＴＤＭＡで通信を行うときのパケットデータのフォーマットを図５に基づいて説明する。図５（Ａ）および図５（Ｂ）は、パケットデータのフォーマットを説明する図である。
【００６１】
図５（Ａ）に示すように、データパケットは、制御情報を送信するときに使用されるパケットと、音声データや映像データを送信するときに使用されるパケットとがある。いずれのパケットデータも、同期信号と制御データフィールドと、制御データフィールドのチェックコードが格納されるＣＲＣ（Ｃｙｃｌｉｃ  Ｒｅｄｕｎｄａｎｃｙ  Ｃｈｅｃｋ）１のフィールドとを有している。
【００６２】
同期信号は、プリアンブルおよびシンクワードで構成され、通信元と同期を図るためのものである。制御データフィールドは、メッセージが格納されている。
【００６３】
また、音声データや画像データは、情報データフィールドに格納され、この情報データフィールドのチェックコードがＣＲＣ２に格納される。
【００６４】
図５（Ｂ）に示すように、制御データフィールドは、ヘッダ部とテール部とで構成され、ヘッダ部にはメッセージが格納される。テール部は、ヘッダ部に格納されるメッセージの内容に応じて格納される内容が異なる。例えば、ＮＴメッセージであれば、送信元のＩＤが格納されている。つまりこのＮＴメッセージは、コードレス電話親機３ａ及びドアホン親機２ｂが使用する。主制御局が送信したＮＴメッセージを受信した副制御局および従局は、そのスロットを主制御局が使用することを認識することができる。又、副制御局が送信したＮＴメッセージを受信した従局は、そのスロットを副制御局が使用することを認識することができる。
【００６５】
また、ＰＴメッセージは、呼び出しを行うコードレス電話子機３ｂのＩＤが格納される。これは、電話回線４からの着信があった場合に、コードレス電話親機３ａがその着信を通知するコードレス電話子機３ｂのＩＤが格納されたり、来訪者があった場合に、ドアホン親機２ｂからの呼び出しを通知するコードレス電話子機３ｂのＩＤが格納されたりする。また、複数の子機すべてを同時に呼び出す場合は、全体を呼び出すことを示す特別のＩＤ（例えば、全てが０のＩＤ）が格納される。
【００６６】
ＱＴメッセージは、通信先相手に送信スロットを通知する際に使用される。主制御局が送信したＱＴメッセージを受信した副制御局および従局は、その制御信号がフレーム内のどのスロットで送信されたかを認識することができ、主制御局とのフレーム、スロットの同期を取ることができる。
【００６７】
ＭＴメッセージは、コードレス電話親機３ａ及びドアホン親機２ｂが使用する場合と、コードレス電話子機３ｂが使用する場合がある。電話回線４からの着信があり、コードレス電話親機３ａからコードレス電話子機３ｂへＰＴメッセージが送信されると、オフフックしたコードレス電話子機３ｂからＭＴメッセージによる通話要求が送信され、その確認応答としてコードレス電話親機３ａからＭＴメッセージによる通話応答が送信される。同様に、玄関子機２ａからの着信があり、ドアホン親機２ｂからコードレス電話子機３ｂへＰＴメッセージが送信されると、オフフックしたコードレス電話子機３ｂからＭＴメッセージによる通話要求が送信され、その確認応答としてドアホン親機２ｂからＭＴメッセージによる通話応答が送信される。
【００６８】
次に、上述したようなパケットデータを用いてドアホン親機２ｂ、コードレス電話親機３ａおよびコードレス電話子機３ｂが通信を行うときの動作を、図１から図４に基づいて説明する。
【００６９】
まずドアホン親機２ｂの動作について説明する。図２に示すように、最初に制御部２１４は、無線部２１０を連続受信状態にし、同期捕捉動作を開始する。そして無線部２１０で受信して復調されたパケットデータがフレーム処理部２０９に渡される。
【００７０】
フレーム処理部２０９では、復調されたパケットデータから同期信号元の制御データフィールドを抽出し、制御データフィールドの受信データに基づいて送信元のＩＤ及び受信スロット番号を制御部２１４に出力する。
【００７１】
制御部２１４では、受信したＩＤが電話親機ＩＤ記憶部２１５に登録されたＩＤに一致すると、電話親機ＩＤ記憶部２１５に登録されたＩＤを受信した送信スロットを同期スロットとして、以降はそのタイミングでコードレス電話親機３ａの受信を行う。そして、制御信号を送信しているスロットを通知する制御情報を受信すると、コードレス電話親機３ａ（主制御局）とのフレーム、スロットの同期を確立する。例えば、コードレス電話親機３ａより制御信号を送信しているスロットが“１”であることを通知されると、制御情報を受信したスロット（同期スロット）がスロット１となるようフレームタイミングを決定する。即ち、ドアホン親機２ｂは、コードレス電話親機３ａとのフレーム、スロットの同期が確立した以降、本無線通信装置内で予め決められた制御局側の送信スロットのうちコードレス電話親機３ａが制御信号を送信している同期スロットを受信スロットとして動作する。そして、本無線通信装置内で予め決められた制御局側の送信スロットから受信動作をしている同期スロットを除いたスロットからの１つのスロットを選択して同報スロットとして、副制御局としての制御情報を送信する。本実施の形態では、コードレス電話親機３ａが送信する同期スロットの次のスロットを、ドアホン親機２ｂの同報スロットとしている。
【００７２】
そして、制御部２１４は、本無線通信装置内で予め決められた従局（コードレス電話子機３ｂ）側の送信スロットのうち、同期スロットと同報スロットに対応するスロットを除いたスロットでコードレス電話子機３ｂからの通話要求の受信を待ち受ける定常状態に移行する制御を行う。
【００７３】
定常状態に移行すると、フレーム処理部２０９は、コードレス電話親機３ａからの制御情報データを同期処理部２０８に通知する。同期処理部２０８は、受信した制御情報のＩＤが電話親機ＩＤ記憶部２１５に記憶されたＩＤに一致すると、フレーム処理部２０９に同期トリガ信号を出力する。フレーム処理部２０９は、同期トリガ信号を元に、ＴＤＭＡのフレーム／スロットのタイミングを補正し、コードレス電話親機３ａからのパケットの受信タイミングと、パケットの送信タイミングと、コードレス電話子機３ｂからの通話要求の受信を待ち受けるスロットの受信タイミングの位置関係が一定になるようＴＤＭＡのフレーム／スロットのタイミングを調整する。
【００７４】
次に、コードレス電話親機３ａの動作を説明する。図３に示すように制御部３１１は、電源が投入されると、自己のタイミングでＴＤＭＡのフレーム／スロットのタイミングを決定し、本無線通信装置内で予め決められた制御局側の送信スロットの中の任意の１つのスロットから同期スロットを選択し、制御情報の送信を開始する。制御部３１１は、制御情報の送信タイミングに合わせて、送信スロット番号および電話親機ＩＤ記憶部３０５に登録された自装置のＩＤをフレーム処理部３０６に出力する。フレーム処理部３０６では、送信スロット番号およびＩＤに同期信号等を付加して無線部３０７に出力することで、アンテナ３０８を介して制御情報が送信される。
【００７５】
そして、制御部３１１は、本無線通信装置内で予め決められた従局（コードレス電話子機３ｂ）側の送信スロットのうち、同期スロットに対応するスロットを除いたスロットでコードレス電話子機３ｂからの通話要求の受信を待ち受ける定常状態に移行する制御を行う。
【００７６】
最後に、コードレス電話子機３ｂの動作について説明する。図４に示すように、まず制御部４１０は、ドアホン親機２ｂと同様に、連続受信で電話親機ＩＤ記憶部４１２に記憶されたコードレス電話親機３ａの制御情報を探し、電話親機ＩＤ記憶部４１２に記憶されたコードレス電話親機３ａが送信する制御スロットの送信スロットを通知する制御情報を受信し、コードレス電話親機３ａとＴＤＭＡのフレーム／スロットの同期を確立する。コードレス電話親機３ａとの同期確立後、コードレス電話親機３ａの制御情報を受信するスロット以外の受信スロット（コードレス電話親機３ａ側では送信スロット）、即ち、本無線通信装置内で予め決められた制御局側の送信スロットのうちコードレス電話親機３ａが制御情報を送信するスロット以外のスロットでドアホン親機２ｂの制御情報の受信を行う。制御部４１０は、ドアホンＩＤ記憶部４１３に記憶されたＩＤに一致するドアホン親機２ｂの制御情報を受信すると、コードレス電話親機３ａの制御情報を受信する同期スロットとドアホン親機２ｂの制御情報を受信する同報スロット以外のスロットの受信を停止し、待ち受け状態に移行する。
【００７７】
次に、ドアホン親機２ｂ、コードレス電話親機３ａおよびコードレス電話子機３ｂが通信を行う際の送信スロットおよび受信スロットの状態を図６から図８に基づいて説明する。図６から図８は、本発明の実施の形態１に係る無線通信装置１において通信を行う際の送信スロットおよび受信スロットの状態を説明する図である。
【００７８】
図６に示すように、本例では、本無線通信装置内で予め決められた制御局側の送信スロットがスロット１からスロット４までの４つのスロット、同じく、従局側の送信スロットがスロット５からスロット８までの４つのスロットで１つのフレームが構成された時分割多重のスロット配置を示し、無線通信装置１のタイムスロットは、送信スロットが４スロットと、その送信スロットに対応する受信スロットが４スロットとで構成される。
【００７９】
まずコードレス電話親機３ａは、電源投入されると自己のタイミングでＴＤＭＡのフレーム／スロットのタイミングを決定して本無線通信装置内で予め決められた制御局側の送信スロットの中から任意のスロットを選択して制御情報の送信を開始する（Ｓ１）。図６ではコードレス電話親機３ａは、スロット１を選択して制御情報の送信を開始する例を示しており、制御情報を送信するスロットが、送信スロットのスロット１となり、同期スロットとなる。
【００８０】
この同期スロットで送信された制御情報に基づいて、ドアホン親機２ｂが同期を確立する（Ｓ２）。そして、ドアホン親機２ｂは、本無線通信装置内で予め決められた制御局側の送信スロットの中の同期スロット以外の送信スロットを選択し、同報スロットとして制御情報を送信する。本実施の形態では、同期スロットの次のスロットであるスロット２を同報スロットとして制御情報を送信している（Ｓ３）。
【００８１】
同様に、上記同期スロットで送信された制御情報に基づいてコードレス電話子機３ｂが同期を確立する（Ｓ４）。そして、コードレス電話子機３ｂは、同期スロットで同期確立をすると、その同期スロットの時間位置に基づいて判別した時間幅でドアホン親機２ｂからの制御情報を待ち受ける（Ｓ５）。つまり、スロット２〜スロット４でドアホン親機２ｂからの制御情報を待ち受けている。そして、ドアホン親機２ｂからの制御情報を受信するとコードレス電話子機３ｂからの制御情報を受信しているスロット（同期スロット）とドアホン親機２ｂからの制御情報を受信したスロット（同報スロット）以外のスロットの受信を停止する（Ｓ６）。図６では、同期スロットの次のスロットであるスロット２が同報スロットなので、スロット２でドアホン親機２ｂからの制御情報を待ち受けている。
【００８２】
同期スロットでのコードレス電話親機３ａによる制御情報の送信は、ドアホン親機２ｂおよびコードレス電話子機３ｂと同期を確立するためのスロットであるため各フレームのスロット１毎に行われる。しかし、同報スロットでのドアホン親機２ｂによる制御情報の送信は、最初のフレームのスロット２で行われる以外は、送信すべき制御情報があるときのみとしている。それは、コードレス電話子機３ｂおよびドアホン親機２ｂは、同期スロットでそれぞれコードレス電話親機３ａと同期確立するので、コードレス電話子機３ｂとドアホン親機２ｂとも同期していることになるからである。従って、ドアホン親機２ｂは、最初のフレームのスロット２を同報スロットとして制御情報を送信した後は、例えば来訪者があり、呼び出し検知部１０３が呼び出しを検知して呼び出し通知を送信するときに送信する。
【００８３】
次に、玄関子機２ａの呼び出し検知部１０３が来訪者の呼び出しを検知したときのドアホン親機２ｂとコードレス電話子機３ｂとの通信の状態を図７に基づいて説明する。
【００８４】
図７に示すように、ドアホン親機２ｂは、同報スロットであるスロット２で何も送信していない状態から、玄関子機２ａの呼び出し検知部１０３が呼び出しを検知することで、ドアホン呼び出し通知を映像データとともに制御情報としてスロット２の同報スロットでコードレス電話子機３ｂへの送信を開始する（Ｓ７）。
【００８５】
コードレス電話子機３ｂは、この映像データをモニタ４１４に表示しながら報知部４０１が使用者に報知する（Ｓ８）。このときコードレス電話子機３ｂは、ドアホン親機２ｂからの着信呼び出しを行いながら、コードレス電話親機３ａからの同期スロットで通知される制御情報は受信し続ける。このため、電話回線４から着信があった場合でも、これを検出して報知することが可能である。
【００８６】
次に、ドアホン親機２ｂからのドアホン着信通知をコードレス電話子機３ｂが応答するときの通信の状態を図８に基づいて説明する。
【００８７】
図８に示すように、ドアホン親機２ｂからコードレス電話子機３ｂへ呼び出し通知されることで、使用者がコードレス電話子機３ｂを応答操作すると、通話要求をドアホン親機２ｂへ送信し、通話要求を送信したスロットに対応した受信スロットの受信を開始する。この時、通話要求を送信するスロットは、予め決められた従局側の送信スロット（スロット５からスロット８）から、同期スロットおよび同報スロットと対応するスロット（スロット５、スロット６）を除いた送信スロットが選択され、本実施の形態では、コードレス電話子機３ｂは、この通話要求をスロット７で送信し、スロット３でドアホン親機２ｂからの通話応答を受信する例を示している（Ｓ９）。
【００８８】
ドアホン親機２ｂは、通話要求を受信すると、通話要求を受信したスロットに対応する送信スロット、即ちスロット３を使用して通話応答を送信する（Ｓ１０）。
【００８９】
そしてコードレス電話子機３ｂは、この通話応答を受信すると、次のスロット７から通話を開始する（Ｓ１１）。以後、スロット３とスロット７でドアホン親機２ｂとコードレス電話子機３ｂで音声データの送受信が行われ、玄関子機２ａとコードレス電話子機３ｂの音声がつながり、使用者は来訪者との通話状態に移行する。このときコードレス電話子機３ｂは、ドアホン親機２ｂと通話を開始しても、ドアホン親機２ｂからの同報スロットで送信される映像データを受信し、モニタ４１４に表示し続ける。
【００９０】
また、コードレス電話子機３ｂは、ドアホン親機２ｂと通話を開始しても、コードレス電話親機３ａからの同期スロットで通知される制御情報は受信し続ける。このため、コードレス電話子機３ｂとドアホン親機２ｂとが通話をしているときに、電話回線４から着信があった場合でも、これを検出して報知することが可能である。
【００９１】
電話回線４からの着信の場合も、上記と同様であり、コードレス電話親機３ａは同期スロットで着信を報知し、それを受信したコードレス電話子機３ｂは、コードレス電話親機３ａから通知された相手の電話番号をモニタ４１４に表示して呼び出し状態に移行する。このときコードレス電話子機３ｂは、同報スロットの受信を継続し続ける。このため、ドアホン親機２ｂからの玄関来訪者呼び出しがあった場合でも、これを検出して報知することが可能である。
【００９２】
呼び出し中に使用者が応答操作をすると、同期スロットと同報スロットに対応する送信スロット以外の送信スロットを選択してコードレス電話親機３ａに通話要求を行い、電話通話状態に移行する。このときコードレス電話子機３ｂは、電話通話中も、同報スロットの受信を継続し続ける。このため、ドアホン親機２ｂからの玄関来訪者呼び出しがあった場合でも、これを検出して報知することが可能である。
【００９３】
（実施の形態２）
以下、本発明の実施の形態２における無線通信装置について図面を参照しながら説明する。
【００９４】
図９は本発明の実施の形態２に係るコードレス電話装置のコードレス電話子機の構成を説明する図である。
【００９５】
本実施の形態において、実施の形態１と同様の部分については同一符号を付し、その詳細な説明は省略する。
【００９６】
本実施の形態２と実施の形態１との相違点は、コードレス電話装置のコードレス電話子機の構成に新たに着信表示制御部４１５を備えたことである。それ以外は、実施の形態１と同様であり、その詳細な説明は省略する。
【００９７】
着信表示制御部４１５は、制御部４１０とモニタ回路４０４に接続され、電話回線４からの外線着信時はコードレス電話親機３ａより送られてきた電話番号を、玄関子機２ａからの玄関着信時はドアホン親機２ｂより送られてきた来訪者の映像を制御部４１０から着信通知とともに受け取り、モニタ４１４への画面表示にて使用者に着信報知するためにモニタ回路４０４へ表示指示を行う。更に、玄関子機２ａからの玄関着信と電話回線４からの外線着信が一度に発生した場合の着信報知、電話回線４との外線通話中に玄関子機２ａからの着信が発生した場合の着信報知、玄関子機２ａとの玄関通話中に電話回線４からの着信が発生した場合の着信報知のための画面表示制御を行い、モニタ回路４０４へ表示指示を行う。
【００９８】
以下、着信表示制御部４１５にて制御される着信表示について図１０から図１３に基づいて説明する。
【００９９】
図１０は本発明の実施の形態２に係る無線通信装置において二つの着信が一度に発生した場合の画面表示の一例を示す図である。
【０１００】
図１０（Ａ）は電話回線４からの外線着信呼び出し中に玄関子機２ａから玄関着信が発生した場合に、両方の着信を報知するために外線着信呼び出し表示と玄関着信呼び出し表示を一定間隔で交互に表示するようにしたものである。
【０１０１】
図１０（Ｂ）は電話回線４からの外線着信呼び出し中に玄関子機２ａから玄関着信が発生した場合に、両方の着信を報知するために外線着信呼び出し表示と玄関着信呼び出し表示を一画面上に一度に表示したものである。
【０１０２】
図１０（Ｃ）は玄関子機２ａからの玄関着信呼び出し中に電話回線４から外線着信が発生した場合に、両方の着信を報知するために玄関着信呼び出し表示と外線着信呼び出し表示を一定間隔で交互に表示するようにしたものである。
【０１０３】
図１０（Ｄ）は玄関子機２ａからの玄関着信呼び出し中に電話回線４から外線着信が発生した場合に、両方の着信を報知するために玄関着信呼び出し表示と外線着信呼び出し表示を一画面上に一度に表示したものである。
【０１０４】
このような表示制御を行うことにより二つの着信を使用者にわかりやすく報知することができる。
【０１０５】
なお、交互に表示する場合の表示間隔は固定でも構わないし、間隔を変更できるようにしても構わない。
【０１０６】
また、一画面上に一度に二つの着信画面を表示する場合の表示位置は上記表示例のように常に外線着信画面が上、玄関着信画面が下になるようにしても構わないし、その逆の玄関着信画面が上、外線着信画面が下になるようにしても構わないし、先に発生した着信を常に上に表示するようにしても構わないし、後に発生した着信を常に上に表示するようにしても構わない。
【０１０７】
図示していないが、交互表示中の使用者による操作部４０９のボタン操作によりどちらか一方の着信に応答操作すると交互表示が停止し、更にもう一度同様の操作を行なうと通話状態に移行し、別のボタン操作を行なうと再度着信交互表示状態に戻り、着信応答先の選択をやり直すことができるようにすれば、更に利便性が向上する。
【０１０８】
図１１は本発明の実施の形態２に係る無線通信装置において通話中にもう一つの着信が発生した場合の画面表示の一例を示す図である。
【０１０９】
図１１（Ａ）は電話回線４と外線通話中に玄関子機２ａから玄関着信が発生した場合に、玄関着信を報知するために外線通話中の表示と玄関着信呼び出しの表示を一画面上に一度に表示したものである。
【０１１０】
図１１（Ｂ）は玄関子機２ａと玄関通話中に電話回線４から外線着信が発生した場合に、外線着信を報知するために玄関通話中の表示と外線着信呼び出しの表示を一画面上に一度に表示したものである。
【０１１１】
このような表示制御を行うことにより通話中に発生したもう一つの着信を使用者にわかりやすく報知することができる。
【０１１２】
なお、表示位置は上記表示例のように常に外線着信画面或いは、外線通話中画面が上、玄関着信画面或いは、玄関通話中画面が下になるようにしても構わないし、その逆の玄関着信画面或いは、玄関通話中画面が上、外線着信画面或いは、外線通話中画面が下になるようにしても構わないし、通話中画面を常に上に表示するようにしても構わないし、着信画面を常に上に表示するようにしても構わない。
【０１１３】
図１２は本発明の実施の形態２に係る無線通信装置において二つの着信が一度に発生した場合の表示方法選択設定用画面の一例を示す図である。
【０１１４】
図１２（Ａ）は外線着信と玄関着信が一度に発生した時にそれぞれの着信通知画面を交互に表示する場合の表示間隔を使用者が指定できるようにするための設定画面である。
【０１１５】
図１２（Ｂ）は外線着信と玄関着信が一度に発生した時にそれぞれの画面を一画面上に表示する際の表示方法を使用者が指定できるようにするための設定画面である。
【０１１６】
図１２（Ｃ）は外線着信と玄関着信が一度に発生した時の画面表示方法を使用者が指定できるようにするための設定画面である。
【０１１７】
このようにして外線着信と玄関着信が一度に発生した時の画面表示の仕方を使用者が指定できるようにすることにより、更に利便性を向上させることができる。
【０１１８】
また、上記図１２（Ｂ）で指定された方法で、通話中にもう一つの着信が発生した場合の画面表示を行うようにしても構わないし、別の設定画面により表示の仕方を指定できるようにしても構わない。
【０１１９】
図１３は本発明の実施の形態２に係る無線通信装置において玄関着信呼び出し中の来訪者映像表示の大きさを変更した場合の表示の一例を示す図である。
【０１２０】
図１３（Ａ）は外線着信呼び出し表示と玄関着信呼び出し表示を一画面上に一度に表示している時に、使用者による操作部４０９のボタン操作により玄関着信呼び出し中の来訪者映像表示の大きさを変更したときの表示例である。
【０１２１】
図１３（Ｂ）は外線通話中の表示と玄関着信呼び出しの表示を一画面上に一度に表示している時に、使用者による操作部４０９のボタン操作により玄関着信呼び出し中の来訪者映像表示の大きさを変更したときの表示例である。
【０１２２】
このように来訪者映像の表示の大きさを変更できるようにすることにより、来訪者の確認がよりしやすくなり利便性が更に向上する。
【０１２３】
なお、以上説明してきた実施の形態においては、主制御局をコードレス電話親機、副制御局をドアホン親機として説明したが、主制御局をドアホン親機、副制御局をコードレス電話親機としてもよい。
【０１２４】
また、ドアホン装置の代わりに無線監視カメラ装置としてもよい。
【産業上の利用可能性】
【０１２５】
本発明の無線通信装置は、複数の無線送受信装置を必要とせず、複数制御局と同期し、各制御局からの着信が一度に発生した場合でもそれを検出して報知することができるので、複数の制御局と従局とが時分割多重で通信を行う無線通信装置に用いることができる。
【図面の簡単な説明】
【０１２６】
【図１】本発明の実施の形態１に係る無線通信装置の構成を示す図
【図２】本発明の実施の形態１に係るドアホン装置の構成を説明する図
【図３】本発明の実施の形態１に係るコードレス電話装置のコードレス電話親機の構成を説明する図
【図４】本発明の実施の形態１に係るコードレス電話装置のコードレス電話子機の構成を説明する図
【図５】パケットデータのフォーマットを説明する図
【図６】本発明の実施の形態１に係る無線通信装置において通信を行う際の送信スロットおよび受信スロットの状態を説明する図
【図７】本発明の実施の形態１に係る無線通信装置において通信を行う際の送信スロットおよび受信スロットの状態を説明する図
【図８】本発明の実施の形態１に係る無線通信装置において通信を行う際の送信スロットおよび受信スロットの状態を説明する図
【図９】本発明の実施の形態２に係るコードレス電話装置のコードレス電話子機の構成を説明する図
【図１０】本発明の実施の形態２に係る無線通信装置において二つの着信が一度に発生した場合の画面表示の一例を示す図
【図１１】本発明の実施の形態２に係る無線通信装置において通話中にもう一つの着信が発生した場合の画面表示の一例を示す図
【図１２】本発明の実施の形態２に係る無線通信装置において二つの着信が一度に発生した場合の表示方法選択設定用画面の一例を示す図
【図１３】本発明の実施の形態２に係る無線通信装置において玄関着信呼び出し中の来訪者映像表示の大きさを変更した場合の表示の一例を示す図
【図１４】コードレス電話装置とドアホン装置を備えた構成を示す図
【符号の説明】
【０１２７】
１    無線通信装置
２    ドアホン装置
２ａ    玄関子機
２ｂ    ドアホン親機
３    コードレス電話装置
３ａ    コードレス電話親機
３ｂ    コードレス電話子機
４    電話回線
１０１    カメラ部
１０２    通話部
１０３    呼び出し検知部
１０４    多重分離回路
２０１    モニタ回路
２０２    モニタ
２０３    画像情報記憶部
２０４    呼び出し検知部
２０５    報知部
２０６    音声回路
２０７    通話部
２０８    同期処理部
２０９    フレーム処理部
２１０    無線部
２１１    操作部
２１３    アンテナ
２１４    制御部
２１５    電話親機ＩＤ記憶部
２１６    ドアホンＩＤ記憶部
２２０    多重分離回路
３０１    回線ＩＦ
３０２    音声回路
３０３    着信検知部
３０４    子機ＩＤ記憶部
３０５    電話親機ＩＤ記憶部
３０６    フレーム処理部
３０７    無線部
３０８    アンテナ
３１１    制御部
４０１    報知部
４０２    音声回路
４０３    通話部
４０４    モニタ回路
４０５    同期処理部
４０６    フレーム処理部
４０７    無線部
４０８    アンテナ
４０９    操作部
４１０    制御部
４１１    子機ＩＤ記憶部
４１２    電話親機ＩＤ記憶部
４１３    ドアホンＩＤ記憶部
４１４    モニタ
４１５    着信表示制御部
【図１】
2007013541.tif 000003
【図２】
2007013541.tif 000004
【図３】
2007013541.tif 000005
【図４】
2007013541.tif 000006
【図５】
2007013541.tif 000007
【図６】
2007013541.tif 000008
【図７】
2007013541.tif 000009
【図８】
2007013541.tif 000010
【図９】
2007013541.tif 000011
【図１０】
2007013541.tif 000012
【図１１】
2007013541.tif 000013
【図１２】
2007013541.tif 000014
【図１３】
2007013541.tif 000015
【図１４】
2007013541.tif 000016